(57)【要約】【課題】  操作性に優れ、見栄えも良く、装置の小型化が可能なファインダーと回転可能な表示装置を備えた撮像装置を提供すること。【解決手段】  ファインダーの掃除用窓を表示装置に隠される位置に設け、さらにファインダーの掃除用窓の蓋は弾性部材で形成され、さらにファインダーの掃除用窓の蓋は回転可能に設けられ、蓋を開いた状態では前記ファインダーの掃除用窓を塞がない位置に保持でき、また、ファインダーの掃除用窓の蓋は回転可能な表示装置の擦り防止を兼ねる構成とした。【選択図】        図１
2007013606.tif 000002
【特許請求の範囲】
【請求項１】
ファインダーと回転可能な表示装置を備えた撮像装置において、前記ファインダーの掃除用窓を前記表示装置に隠される位置に設けたことを特徴とする撮像装置。
【請求項２】
前記ファインダーの掃除用窓の蓋は弾性部材で形成されることを特徴とする請求項１記載の撮像装置。
【請求項３】
前記ファインダーの掃除用窓の蓋は回転可能に設けられ、蓋を開いた状態では前記ファインダーの掃除用窓を塞がない位置に保持できることを特徴とする請求項１記載の撮像装置。
【請求項４】
前記ファインダーの掃除用窓の蓋は前記回転可能な表示装置の擦り防止を兼ねることを特徴とする請求項１記載の撮像装置。
【発明の詳細な説明】
【技術分野】
【０００１】
本発明は撮像装置に関し、特にファインダーと回転可能な表示装置を備えた撮像装置に関するものである。
【背景技術】
【０００２】
近年、ビデオカメラの小型化は目覚ましく、ビデオカメラ本体の大きさは減少する傾向にある。また撮影時や再生時にモニターの見易さのためにバックライト付きの液晶パネルなどの大型表示装置が備えられることが多い。そしてこの表示装置は回転可能に設けられ、収納時には本体に設けられた凹部に収納されているが、使用時には本体から離れるように回転し、表示画面をモニターできるようになる。しかしこのバックライト付きの液晶パネルは晴天時の野外などで外光が明るすぎる場合、液晶パネルの表示が見づらいという問題がある。この問題を補うために覗きタイプのファインダーも併せて備えるビデオカメラが近年は多い。
【０００３】
そして晴天時の野外、特に逆光時の撮影にはファインダーを覗いて撮影画像をモニターしながら撮影することになるが、このファインダーはユニット内に外光が進入しては見づらくなるために出来る限り密閉構造とすることが望ましい。また不用意にファインダー内にゴミなどの異物が進入して、ピント面に付着するとゴミがくっきりと見えてしまい見苦しいものになってしまう。
【０００４】
このためファインダーユニットは密閉機構としクリーンルームで組み立てる方法が採られることが知られているが、これはファインダーユニットが大型化してしまうため、ビデオカメラ本体も大型化してしまう。更にファインダーユニットのコストアップにもなってしまう。このためファインダーユニットに蓋付きの掃除用の窓を設け、ファインダーユニット内にゴミなどの異物が進入してしまった場合、蓋を開けてファインダーユニット内を掃除できるようにしたものがある。
【０００５】
また、回転可能な液晶パネルなどの大型表示装置を備えたビデオカメラではビデオカメラ本体の小型化のために表示装置を収納するための本体凹部と表示装置の隙間は出来る限り小さくする必要がある。
【特許文献１】特開２００１−２１９５１号公報
【発明の開示】
【発明が解決しようとする課題】
【０００６】
しかしながら、上記の従来例における場合、ビデオカメラ本体を分解することなくファインダーの掃除を容易にするためにはファインダーの掃除用窓はビデオカメラ本体の外観に露出する位置にレイアウトしなくてはならないが、これはビデオカメラ本体の小型化に相反してしまう。また外観のあまり目立つ位置に掃除用窓を配置しては美観上好ましくないという問題も有している。
【０００７】
またファインダーの掃除用窓は十分な大きさが確保されていないとファインダー内の掃除は難しくなり、進入したゴミを取り除くことができないが、ファインダーの掃除用窓を大きくすることは、これもまたビデオカメラ本体の小型化に相反してしまうばかりでなく美観上も好ましくない。更にファインダーの掃除用窓の蓋は本体から外した時に無くしてしまう恐れがあるため、本体に括り付けられた構造であることが望ましい。
【０００８】
また表示装置を収納するためのビデオカメラ本体凹部と表示装置の隙間を詰めると、表示装置の外装カバーとビデオカメラ本体カバーが擦れ、塗装が剥がれてしまうという問題も有している。
【０００９】
本発明ではこのような従来の課題を解消するためになされたもので、ビデオカメラ装置が操作性に優れ、見栄えも良い、小型な撮像装置を提供することを目的とする。
【課題を解決するための手段】
【００１０】
このため、本発明においては、下記の各項（１）〜（４）のいずれかに示すビデオカメラを提供することにより、前記目的を達成しようとするものである。
【００１１】
（１）ファインダーと回転可能な表示装置を備えた撮像装置において、前記ファインダーの掃除用窓を前記表示装置に隠される位置に設けたことを特徴とする撮像装置。
【００１２】
（２）前記ファインダーの掃除用窓の蓋は弾性部材で形成されることを特徴とする前記（１）記載の撮像装置。
【００１３】
（３）前記ファインダーの掃除用窓の蓋は回転可能に設けられ、蓋を開いた状態では前記ファインダーの掃除用窓を塞がない位置に保持できることを特徴とする前記（１）記載の撮像装置。
【００１４】
（４）前記ファインダーの掃除用窓の蓋は前記回転可能な表示装置の擦り防止を兼ねることを特徴とする前記（１）記載の撮像装置。
【発明の効果】
【００１５】
本発明によるとファインダーと回転可能な表示装置を備えた撮像装置において、前記ファインダーの掃除用窓を前記表示装置に隠される位置に設け、さらに前記ファインダーの掃除用窓の蓋は弾性部材で形成される。さらに前記ファインダーの掃除用窓の蓋は回転可能に設けられ、蓋を開いた状態では前記ファインダーの掃除用窓を塞がない位置に保持できる構成にしたので、ビデオカメラ本体を分解することなく容易にファインダーの清掃ができるばかりでなく、前記ファインダーの掃除窓は前記表示装置の収納状態では外観部に露出しないため、大変見栄えの良いビデオカメラを提供することができる。そして掃除用窓はファインダーを掃除するために必要な最小限の大きさにすることが可能となり、小型なビデオカメラを提供することができる。
【００１６】
また、前記ファインダーの掃除用窓の蓋は前記回転可能な表示装置の擦り防止を兼ねる構成にしたので、表示装置の開閉によって表示装置の外装カバーが擦れて外観に傷つくことがなく、真に品位の良いビデオカメラを提供することができる。
【発明を実施するための最良の形態】
【００１７】
以下本発明を実施するための最良の形態を、実施例により詳しく説明する。
【実施例】
【００１８】
本発明による撮像装置の実施の形態をファインダーと回転可能な表示装置を備えたビデオカメラ装置を例にとって、図１及び図２を用いて説明する。
【００１９】
図１は本発明によるビデオカメラの表示装置を収納した状態を示す後方斜視図、図２は本発明によるビデオカメラの一使用例の撮影状態を示す後方斜視図である。
【００２０】
図中、１は撮像レンズ、２は記録媒体が装着される装着部を覆う蓋部で、撮像レンズ１の横にレイアウトされている。
【００２１】
３は本体に電源を供給するためのバッテリーパック、４は電源ダイヤル、５はズームレバーである。
【００２２】
６は液晶パネルで撮影レンズ１の下方に一側辺部が本体に対して水平方向に回転可能に連結されている。
【００２３】
すなわちユーザーが撮影する場合はロックレバー７をスライド操作し、液晶パネル６に設けられた凹部６ａとの係合関係を解除し、液晶パネル６を本体に対して水平方向の開き、表示画面をモニターできる状態となる。また未使用時においては本体部に液晶パネル６の表示面が向くように本体部に設けられた凹部８に収納できる。この時、ロックレバー７と液晶パネル６に設けられた凹部６ａは係合関係となり、液晶パネル６が不用意に開かないように回転を規制している。
【００２４】
そして９がファインダーで、撮影レンズ１の後方で更に液晶パネル６の上方にビデオカメラ本体の後方から撮影者が覗けるようにレイアウトされており、晴天時の野外、特に逆光時の撮影などで液晶パネル６が見え難い時はファインダー９を覗き、撮影画像をモニターすることができる。
【００２５】
ファインダー９にゴミなどの異物が進入してしまい、モニター画像が見え難くなってしまった場合には、ビデオカメラ本体部に設けられた凹部８の本体カバー側壁（ファインダー９と液晶パネル６の仕切りとなる位置関係に配置された側壁）に設けられた掃除蓋１０を外し、ファインダー６内部に侵入した異物を取り除くことが可能である。この掃除蓋１０は液晶パネル６を収納した状態では、外観上は見えなくなり、真に見栄えの良いビデオカメラとなる。
【００２６】
以下、図３の分解斜視図において本発明によるビデオカメラの具体的構成の一例を説明する。
【００２７】
液晶パネル６を収納するための凹部８を有する本体カバー１１の凹部を形成する側壁１１ｂの一部に角穴１１ａが設けられている。この側壁１１ｂは液晶パネル６の収納状態においてファインダー９と液晶パネル６の仕切りとなる位置関係にあり、角穴１１ａは側壁１１ｂのビデオカメラ本体後方に設けられ、側壁１１ｂの面より一段へこんだフランジ部１１ｃが形成されている。そしてフランジ部１１ｃに掃除蓋１０が粘着剤によって貼り付けられている。
【００２８】
次にファインダーユニットの構成について説明する。
【００２９】
ファインダーホルダー２０の後方より、接眼レンズユニット２１、接眼ユニット２２が順に組み込まれ、ファインダーホルダー２０の前方からは、ＬＣＤパネル２３、圧接ゴム２４、拡散シート２５、基板ホルダー２６、白色ＬＥＤ２８が実装されたプリント基板２７が順に組み込まれている。ＬＣＤパネル２３のフレキケーブル２３ａはプリント基板２７に実装されたコネクタ２９に接続され、更に図示せずフレキケーブルによってプリント基板２７とビデオカメラ本体部の信号処理基板が接続されている。
【００３０】
そして、ファインダーホルダー２０は底面部に角穴２０ａが設けられており、ビデオカメラ本体に組み込んだ状態では本体カバー１１の側壁１１ｂに設けられた角穴１１ａとファインダーホルダー２０の底面部の角穴２０ａが略一致する関係にある。
【００３１】
したがってファインダーユニットにゴミなどの異物が進入した場合は液晶パネル６を開き、掃除蓋１０を外すと、ビデオカメラ本体を分解することなく簡単にファインダーユニット内を清掃することが可能となる。そして液晶パネル６の収納状態では掃除蓋１０は外観から見えなくなり品位の良いビデオカメラとなる。
【００３２】
次に、この本発明による掃除蓋の他の実施例を図４の撮影状態を示す後方斜視図に示す。
【００３３】
図中、バッテリーパック３、電源ダイヤル４、液晶パネル６、ファインダー９の各構成要素は図２において説明したものと同一である。
【００３４】
３５は掃除蓋で弾性部材により形成され、リブ状の突起３５ａが設けられている。この突起３５ａは液晶パネル６を収納するための凹部８を有する本体カバー３６の凹部を形成する側壁３６ｂより出っ張る構成となっている。
【００３５】
そして液晶パネル６を開閉操作させる時に液晶パネル６が傾いた場合、液晶パネル６の外装カバーと弾性部材で形成された掃除蓋３５に設けられたリブ状の突起３５ａが擦れるために液晶パネル６の外装カバーに傷が付くことはない。
【００３６】
図５は掃除蓋３５を開いた状態を示す斜視図である。
【００３７】
掃除蓋３５は回転可能に係止されており、矢印Ａ方向に回転させると外装カバー３６に設けられた角穴３６ａが露出する。そして掃除蓋３５は回転させた状態で保持されるためユーザーが掃除蓋３５から手を離しても外装カバー３６に設けられた角穴３６ａを塞いでしまうことはない。そのため角穴３６ａはファインダー９の内部を掃除するための最小の大きさにすることが可能である。
【００３８】
次に、図６の分解斜視図において本発明による掃除蓋３５の具体的構成の一例を説明する。
【００３９】
弾性部材で成形された掃除蓋３５の一側辺部に突起３５ｃが設けられており、この突起３５ｃが外装カバー３６の角穴３６ａの一側辺部に引っ掛り係止されているため掃除蓋３５は不使用時に開いてしまうことはない。更に掃除蓋３５は角部に丸穴３５ｂが設けられている。そして保持部材３７に設けられた回転軸３７ａが掃除蓋３５の丸穴３５ｂを貫通して、外装カバー３６に設けられた略Ｕ字形状の突起３６ｂに係合している。すなわち掃除蓋３５は保持部材３７と外装カバー３６によって回転可能に挟み込まれた状態となる。また保持部材３７は不図示のビスによって本体カバー３６に止められている。
【００４０】
ファインダー９の内部にゴミなど異物が進入してしまい掃除する時は弾性部材で成形された掃除蓋３５を変形させて掃除蓋３５の一側辺部に設けられた突起３５ｃと外装カバー３６の角穴３６ａの一側辺部との係止関係を解除させながら、掃除蓋３５を外装カバー３６の角穴３６ａから退避させるように保持部材３７に設けられた回転軸３７ａを中心に回転させる。
【図面の簡単な説明】
【００４１】
【図１】本発明によるビデオカメラの一例を示す後方斜視図
【図２】本発明によるビデオカメラの一例を示す後方斜視図
【図３】本発明によるビデオカメラの一例を示す分解斜視図
【図４】本発明によるビデオカメラの一例を示す後方斜視図
【図５】本発明によるビデオカメラの一例を示す後方斜視図
【図６】本発明によるビデオカメラの一例を示す分解斜視図
【符号の説明】
【００４２】
１      撮像レンズ
２      蓋部
３      バッテリーパック
４      電源ダイヤル
５      ズームレバー
６      液晶パネル
６ａ    凹部
７      ロックレバー
８      凹部
９      ファインダー
１０    掃除蓋
１１    本体カバー
１１ａ  角穴
１１ｂ  側壁
１１ｃ  フランジ部
２０    ファインダーホルダー
２０ａ  角穴
２１    接眼レンズユニット
２２    接眼ユニット
２３    ＬＣＤパネル
２３ａ  フレキケーブル
２４    圧接ゴム
２５    拡散シート
２６    基板ホルダー
２７    プリント基板
２８    白色ＬＥＤ
２９    コネクタ
３５    掃除蓋
３５ａ  リブ状の突起
３５ｂ  丸穴
３５ｃ  突起
３６    外装カバー
３６ａ  角穴
３６ｂ  Ｕ字形状の突起
３７    保持部材
３７ａ  回転軸
【図１】
2007013606.tif 000003
【図２】
2007013606.tif 000004
【図３】
2007013606.tif 000005
【図４】
2007013606.tif 000006
【図５】
2007013606.tif 000007
【図６】
2007013606.tif 000008